(57)【要約】【課題】記録媒体搬送路構成部材に付着した水分が記録媒体搬送の妨げとなることを抑制することを課題とする。【解決手段】搬送路７７、７９、８１、８３には、表面張力が１８．５×１０−３〜４６×１０−３Ｎ／ｍとされたコート層８２が設けられているので、搬送路７７、７９、８１、８３で発生した結露は粒状となってまとまりやすくなる。また、この水滴は、すぐに搬送路７７、７９、８１、８３から脱落することなく搬送路７７、７９、８１、８３に保持されるので、必要に応じて（例えば、印字ジョブの間）搬送路７７、７９、８１、８３から水滴を脱落させて回収できる。このため、搬送路７７、７９、８１、８３に水分が残りにくくなり、記録媒体搬送の妨げとなることを抑制することが出来る。【選択図】図２
2008158218.tif 000002
【特許請求の範囲】
【請求項１】
記録媒体を熱処理する熱処理部と、
該熱処理部で熱処理した前記記録媒体を搬送する搬送路と、
該搬送路を構成し、前記記録媒体に面する側の表面張力が１８．５×１０−３〜４６×１０−３Ｎ／ｍである搬送路構成部材と、
を有する、熱処理搬送装置。
【請求項２】
記録媒体を熱処理する熱処理部と、
該熱処理部で熱処理した前記記録媒体を搬送する搬送路と、
該搬送路を構成する搬送路構成部材と、
該搬送路構成部材を振動させる振動発生手段と、
を有する、熱処理搬送装置。
【請求項３】
前記搬送路構成部材を振動させる振動発生手段を有することを特徴とする、請求項１記載の熱処理搬送装置。
【請求項４】
前記振動発生手段を制御する制御手段を有することを特徴とする、請求項２又は３記載の熱処理搬送装置。
【請求項５】
前記搬送路近傍の湿度を検出する湿度検出手段を有し、
前記制御手段は、前記湿度検出手段が検出した湿度に応じて前記振動発生手段を制御することを特徴とする、請求項４記載の熱処理搬送装置。
【請求項６】
前記制御手段は、前記搬送路を通過する前記記録媒体に同期して前記振動発生手段を制御することを特徴とする、請求項４記載の熱処理搬送装置。
【請求項７】
前記搬送路構成部材は、前記記録媒体に対向する面と、該面より突出する突出部を有し、前記記録部材は前記突出部に接触し、前記面に接触しないよう構成されてなることを特徴とする、請求項１乃至６のいずれか１項記載の熱処理搬送装置。
【請求項８】
前記搬送路構成部材に付着した水滴を回収する回収部を有することを特徴とする、請求項１乃至７いずれか１項記載の熱処理搬送装置。
【請求項９】
前記回収部は、前記搬送路構成部材の鉛直方向下方に設けられてなることを特徴とする、請求項８記載の熱処理搬送装置。
【請求項１０】
請求項１乃至９のいずれか１項記載の熱処理搬送装置を有し、
前記熱処理部は、前記記録媒体に形成された画像を加熱定着する定着部であることを特徴とする画像形成装置。
【発明の詳細な説明】
【技術分野】
【０００１】
本発明は、熱処理搬送装置及び画像形成装置に関する。
【背景技術】
【０００２】
一般的に、水分を含有した媒体を加熱すると水分が蒸発して水蒸気となり周囲に拡散するが、近傍に低温部材が存在するとその表面で結露が発生する。特に電子写真方式を適用した複写機、プリンタ、ファクシミリあるいはこれらの複合機等の画像形成装置では、定着装置でトナーを用紙に定着させる際に、用紙に含まれる水分が蒸発し水蒸気となり、定着装置近傍の用紙搬送路を構成する部材に結露が発生することがある。
【０００３】
定着装置近傍の用紙搬送路構成部材に、水分を吸水する吸水部材を設けることによって、用紙搬送路に結露が発生するのを防止しているものがある（特許文献１参照）。
【０００４】
【特許文献１】特開平４−１５１６７９号公報
【発明の開示】
【発明が解決しようとする課題】
【０００５】
本発明は、記録媒体搬送路構成部材に付着した水分が記録媒体搬送の妨げとなることを抑制した熱処理搬送装置、及び画像形成装置を提供することを目的とする。
【課題を解決するための手段】
【０００６】
請求項１に記載の発明は、記録媒体を熱処理する熱処理部と、該熱処理部で熱処理した前記記録媒体を搬送する搬送路と、該搬送路を構成し、前記記録媒体に面する側の表面張力が１８．５×１０−３〜４６×１０−３Ｎ／ｍである搬送路構成部材とを有する、熱処理搬送装置である。
請求項２に記載の発明は、記録媒体を熱処理する熱処理部と、該熱処理部で熱処理した前記記録媒体を搬送する搬送路と、該搬送路を構成する搬送路構成部材と、該搬送路構成部材を振動させる振動発生手段とを有する、熱処理搬送装置である。
請求項３に記載の発明は、請求項１記載の熱処理搬送装置において、該搬送路を振動させる振動装置が設置されていることを特徴としている。
請求項４に記載の発明は、請求項２又は３記載の熱処理搬送装置において、前記振動発生手段の振動を制御する制御手段を有することを特徴とする。
【０００７】
請求項５に記載の発明は、請求項４記載の熱処理搬送装置において、前記搬送路近傍の湿度を検出する湿度検出手段を有し、前記制御手段は、前記湿度検出手段が検出した湿度に応じて前記振動発生手段の振動を制御することを特徴とするものである。
【０００８】
請求項６に記載の発明は、請求項４記載の熱処理搬送装置において、前記制御手段が、前記搬送路を通過する前記記録媒体に同期して前記振動発生手段の振動を制御することを特徴とするものである。
【０００９】
請求項７に記載の発明は、請求項１乃至６記載の熱処理搬送装置において、前記搬送路構成部材が、前記記録媒体に対向する面と該面より突出する突出部を有し、前記記録部材は前記突出部に接触し、前記面に接触しないよう構成されてなることを特徴とする。
【００１０】
請求項８に記載の発明は、請求項１乃至７いずれか１項記載の熱処理搬送装置において、前記搬送路構成部材に付着した水滴を回収する回収部を有することを特徴とする。
【００１１】
請求項９に記載の発明は、請求項８記載の熱処理搬送装置において、前記回収部が前記搬送路構成部材の鉛直方向下方に設けられてなることを特徴とする。
【００１２】
請求項１０に記載の発明は、請求項１乃至９いずれか１項記載の熱処理搬送装置を有し、前記熱処理部は、前記記録媒体に形成された画像を加熱定着する定着部であることを特徴とする画像形成装置である。
【発明の効果】
【００１３】
請求項１に記載の発明によれば、搬送路構成部材に結露した水分が粒状となってまとまりやすく、かつ、簡単に脱落することのない熱処理搬送装置を提供することが出来る。
【００１４】
請求項２に記載の発明によれば、搬送路構成部材に結露した粒状の水分を搬送路構成部材上から移動させることが出来る。
【００１５】
請求項３に記載の発明によれば、搬送路構成部材に結露した水分が粒状となってまとまりやすく、かつ、即座に離脱することなく保持することが出来、そのうえその水分を搬送路構成部材上から移動させることが出来る。
【００１６】
請求項４に記載の発明によれば、必要に応じて水分を搬送路構成部材上から移動させることが出来る。
【００１７】
請求項５に記載の発明によれば、結露発生の条件を満たしたときのみ、水分を搬送路構成部材上から移動させることが出来る。
【００１８】
請求項６に記載の発明によれば、滴下した水分が記録媒体に付着するのを抑制することが出来る。
【００１９】
請求項７に記載の発明によれば、搬送路構成部材に結露した水分が記録媒体に接触するのを防止することが出来る。
【００２０】
請求項８に記載の発明によれば、本発明の構成を有しない場合に比較して、搬送路構成部材に結露した水分を搬送路構成部材上から移動させたとき、他に及ぼす影響を低減することが出来る。
【００２１】
請求項９に記載の発明によれば、搬送路構成部材に結露した水分が重力によって回収部より回収されるので、本発明の構成を有しない場合に比較して効率のよい回収を行なうことが出来る。
【００２２】
請求項１０に記載の発明によれば、定着部より搬送された記録媒体が、搬送路構成部材の水分によって濡れてしまったり、走行が妨げられたりする事態を防止することが出来る。
【発明を実施するための最良の形態】
【００２３】
図１は、本発明の第一実施形態に係る熱処理搬送装置を含む画像形成装置１０を示している。
【００２４】
画像形成装置１０は、図示しないパーソナルコンピュータ等の画像データ入力装置から送られてくる画像情報に基づいて画像処理を行い、電子写真方式によって記録媒体としての記録用紙Ｐに画像を形成するものであり、記録用紙Ｐに画像を形成する画像形成部１２と、この画像形成部１２へ記録用紙Ｐを給紙する給紙部１４と、画像形成部１２で画像が形成されて排出される記録用紙Ｐに、所定の後処理を施す後処理装置１６と、で構成されている。
【００２５】
画像形成部１２は、イエロー（Ｙ）、マゼンタ（Ｍ）、シアン（Ｃ）、ブラック（Ｋ）の各色のトナー像を形成する画像形成ユニット１８Ｙ、１８Ｍ、１８Ｃ、１８Ｋを備えている。なお、以降、ＹＭＣＫを区別する必要がある場合は、符号の後にＹ、Ｍ、Ｃ、Ｋの何れかを付し、ＹＭＣＫを区別する必要が無い場合は、Ｙ、Ｍ、Ｃ、Ｋを省略する。また、単に「搬送方向」というときは、記録用紙Ｐの搬送方向をいう。
【００２６】
画像形成ユニット１８は感光体ドラム２０を備え、この感光体ドラム２０の回りにはそれぞれ、感光体ドラム２０の回転方向（図の矢印Ｂ方向）に順に一次転写ロール２２、クリーニング装置２４、帯電器２６、露光装置２８、現像装置３０が配設されている。
【００２７】
上記構成の画像形成ユニット１８Ｙ、１８Ｍ、１８Ｃ、１８Ｋは、バックアップロール３４と複数の張架ロール３２によって張架された無端状の中間転写ベルト３６の進行方向Ｗに、一列に並んだ状態で配列されている。このとき、一次転写ロール２２は、中間転写ベルト３６を挟んで、各画像形成ユニット１８Ｙ、１８Ｍ、１８Ｃ、１８Ｋの感光体ドラム２０Ｙ、２０Ｍ、２０Ｃ、２０Ｋと対向する位置にある。
【００２８】
このような構成により、まず、感光体ドラム２０が、帯電器２６により表面が一様に帯電され、露光装置２８によって露光がなされると、感光体ドラム２０の表面に静電潜像が形成される。この静電潜像は、現像装置３０によって現像されてトナー像となる。このトナー像は、一次転写ロール２２に印加された転写バイアスによる静電吸引によって、中間転写ベルト３６上に一次転写される。
【００２９】
中間転写ベルト３６にトナー像を転写した後、感光体ドラム２０に残留した未転写残留トナーは、クリーニング装置２４で除去される。そして、感光体ドラム２０の表面は、除電装置（図示略）によって除電された後、つぎの画像形成サイクルの為、帯電器２６で再び帯電される。
【００３０】
本実施形態の画像形成装置１０では、各画像形成ユニット１８Ｙ、１８Ｍ、１８Ｃ、１８Ｋの相対的な位置の違いを考慮したタイミングで、上記と同様の画像形成工程が各画像形成ユニット１８Ｙ、１８Ｍ、１８Ｃ、１８Ｋにおいても行われる。つまり、感光体ドラム２０Ｙ、２０Ｍ、２０Ｃ、２０Ｋに形成されたトナー像は、一次転写ロール２２Ｙ、２２Ｍ、２２Ｃ、２２Ｋによって中間転写ベルト３６上に転写され、中間転写ベルト３６上には、シアン、マゼンタ、イエロー、ブラックのトナー像が順番に重ね合わせて転写され、フルカラートナー像が形成される。
【００３１】
一方、画像形成部１２の側方には、給紙部１４が配設されている。給紙部１４には、記録用紙Ｐが収容された給紙カセット３８、４０が設けられている。記録用紙Ｐは、給紙カセット３８、４０のいずれか一方から、画像形成部１２に給紙され、搬送機構４２の複数の搬送ロール４４及びレジストロール４６によって、所定のタイミングで二次転写位置Ａに送られる。
【００３２】
二次転写位置Ａは、中間転写ベルト３６を支持するバックアップロール３４と、バックアップロール３４に圧接する二次転写ロール４８でニップされた位置であり、二次転写ロール４８に印加された転写バイアスによる静電吸引力によって、中間転写ベルト３６に形成されたフルカラートナー像が、所定のタイミングで二次転写位置Ａへ搬送された記録用紙Ｐに転写される。
【００３３】
このとき、バックアップロール３４と二次転写ロール４８とによって、記録用紙Ｐに転写されなかった中間転写ベルト３６上の未転写の残留トナーは、中間転写ベルトクリーニング装置５０のクリーニングブレード５２で掻き取られ、除去される。
【００３４】
二次転写位置Ａの下流側には、２つのロール５４、５６に巻き掛けられた搬送ベルト５８が設けられており、中間転写ベルト３６上のフルカラートナー像が転写された記録用紙Ｐは、この搬送ベルト５８によって搬送され、搬送ベルト５８の下流側に配設された熱処理部である定着モジュール６０へ搬送される。
【００３５】
定着モジュール６０は、熱伝導性の高い金属性コアの内部にハロゲンランプなどの加熱源を備える加熱定着ロール６２を有しており、加熱定着ロール６２には、３つのロール６４に巻き掛けられた無端状のベルト６６が接触している。そして、加熱定着ロール６２とベルト６６の間に、フルカラートナー像が転写された記録用紙Ｐが送り込まれることで、この記録用紙Ｐは加熱定着ロール６２とベルト６６によって挟持されながら搬送される。
【００３６】
このとき、記録用紙Ｐ上のフルカラートナー像は、加熱定着ロール６２によって加圧されながら加熱されて溶融し、記録用紙Ｐに定着する。これにより、記録用紙Ｐに画像が形成される。
【００３７】
定着モジュール６０で画像が形成された記録用紙Ｐは、後述する搬送路７７を搬送されて、画像形成部１２の下流側に設けられた後処理装置１６に送られる。そして、この記録用紙Ｐは、後処理装置１６に設けられた排紙機構６８によって搬送され、排紙部７０に排出されてスタックされる。
【００３８】
ところで、本実施形態の画像形成装置１０は、一方の面にカラートナー像が定着された記録用紙Ｐの表裏を反転し、再び記録用紙Ｐを二次転写位置Ａへと搬送することで、他方の面にも中間転写ベルト３６から新たなフルカラートナー像が転写される、所謂、両面印刷機能を備えている。
【００３９】
具体的には、記録用紙Ｐは後処理装置１６に設けられた反転搬送機構７２で反転された後、反転搬送路７４を介して搬送機構４２に搬送され、記録用紙Ｐの他方の面が中間転写ベルト３６側となって、所定のタイミングで二次転写位置Ａに送り込まれる。
【００４０】
そして、記録用紙Ｐの他方の面にフルカラートナー像が転写された後、定着モジュール６０で同様に他方の面にもフルカラートナー像が定着されて画像が形成され、排紙機構６８を介して排紙部７０に排出される。
【００４１】
図２に示すように、定着モジュール６０と排紙機構６８（図１参照）の間には、搬送路構成部材である搬送プレート７６が設けられている。搬送プレート７６は、排紙機構６８に向かって斜め上方向に傾斜した状態とされている。
【００４２】
また、定着モジュール６０から反転搬送機構７２の間には、搬送プレート７８が設けられており、この搬送プレート７８に対向して、反転搬送機構７２と排紙機構６８の間に搬送プレート８０が設けられている。
【００４３】
搬送プレート７８及び搬送プレート８０は、略垂直状態に設けられ、搬送プレート７８の定着モジュール６０側は、定着モジュール６０に向かって円弧状とされ、搬送プレート８０の排紙機構６８側は、排紙機構６８に向かって円弧状とされている。
【００４４】
搬送プレート７８の定着モジュール６０側の円弧状に形成された部分と、搬送プレート８０の排紙機構６８側の円弧状に形成された部分と、搬送プレート７６とで、略三角状の空間が形成され、この空間には、断面形状が略三角状とされた搬送プレート７５が設けられている。
【００４５】
このような構成により、搬送プレート７６と搬送プレート７５とで、搬送路７７が形成され、定着モジュール６０から排出された記録用紙Ｐは、搬送路７７を搬送されて、排紙機構６８へ送り込まれる。なお、搬送路７７は、記録用紙Ｐの搬送方向下流側に向かって上側に傾斜している。
【００４６】
また、搬送プレート７８と搬送プレート７５とで、搬送路７９が形成され、定着モジュール６０から排出された記録用紙Ｐは、搬送路７９を搬送されて、搬送プレート７８と搬送プレート８０で形成された搬送路８３へ送り込まれ、反転搬送機構７２で反転される。
【００４７】
さらに、搬送プレート８０と搬送プレート７５とで、搬送路８１が形成され、反転搬送機構７２で反転された記録用紙Ｐは、搬送路８３及び搬送路８１を搬送され、排紙機構６８へ送り込まれる。
【００４８】
本実施例においては、搬送プレート７５、７６、７８、８０は共に板金で成型されており、これらの表面にはコート剤がコーティングされて、コート層８２が形成されている。つまり、搬送プレートの搬送路７７、７９、８１、８３に面した側には、コート層８２が設けられている。
【００４９】
搬送プレートの材料としては、冷間圧延鋼板、鋼帯（ＳＰＣＣ）にクロムフリー処理の電気亜鉛めっきを施したもの、ステンレス鋼板、アルミ板、ＡＢＳ樹脂、ＰＣ樹脂、ＰＥＴ樹脂など樹脂材料によって形成された部材などを用いることが出来る。
【００５０】
また、コート剤としては、ポリテトラフルオロエチレン（ＰＴＦＥ、表面張力１８．５×１０−３Ｎ／ｍ）、ポリエチレンテレフタレート（ＰＥＴ、表面張力４４．６×１０−３Ｎ／ｍ）、アクリロニトリル−ブタジエン−スチレン三元共重合体（ＡＢＳ、表面張力４３×１０−３Ｎ／ｍ）、ポリプロピレン（ＰＰ、表面張力２９．８×１０−３Ｎ／ｍ）、ポリエチレン（ＰＥ、表面張力３１×１０−３Ｎ／ｍ）、ポリ塩化ビニル（ＰＶＣ、表面張力３９×１０−３Ｎ／ｍ）、ポリ塩化ビニリデン（ＰＶＤＣ、表面張力４０×１０−３Ｎ／ｍ）、６・６−ナイロン（ＰＡ−６６、表面張力４６×１０−３Ｎ／ｍ）などが用いられる。
ここで、表面張力に対する水滴の発生状況、及び、水滴の保持性について説明する。表１には、コート層８２の表面張力に対して、結露が水滴となるか否か、又、その水滴がコート層８２に保持されるか否かを実験した結果を示している。表１において、コート層８２上で結露が水滴となるときを○とし、結露が水滴とならないときを×とした。また、コート層８２上で水滴が保持されるときを○とし、水滴が保持されないときを×とした。
【００５１】
【表１】
2008158218.tif 000003
表１の結果から、コート層８２の表面張力を１８．５×１０−３Ｎ／ｍよりも小さくすると、搬送プレートの搬送路７７、７９、８１、８３に面した側（コート層８２上）に発生した結露は粒状にまとまりにくく（水滴になりにくく）なることがわかり、コート層８２の表面張力を４６×１０−３Ｎ／ｍより大きくすると、搬送プレートの搬送路７７、７９、８１、８３に面した側に発生した結露がすぐに水滴となって、簡単に（すぐに）搬送プレートから脱落してしまうことがわかる。
【００５２】
したがって、コート層８２の表面張力を１８．５×１０−３〜４６×１０−３Ｎ／ｍとすることで、搬送プレートの搬送路７７、７９、８１、８３に面した側に発生した結露は粒状にまとまって、水滴となりやすい。また、この水滴は、すぐに搬送プレートの搬送路７７、７９、８１、８３に面した側から脱落することなく保持される。
【００５３】
搬送プレートには、搬送プレートに保持された水分が記録用紙Ｐに直接触れることがないように、搬送路に面した側に突出し、記録用紙Ｐの搬送方向に延びた突起（図示せず）が設けられていても良い。
【００５４】
ところで、図１及び図３に示すように、搬送路８３を形成する搬送プレート７８、８０に設けられた搬送ローラ８５は、シャフト８５Ａと、シャフト８５Ａの軸方向に所定の間隔で設けられた複数のローラ８５Ｂとで構成されている。なお、図３では、搬送プレート７８のみを示し、搬送プレート７８に対向して設けられた搬送プレート８０は省略している。
【００５５】
搬送ローラ８５のローラ部８５Ｂは、搬送プレート７８、８０に形成された開口部９１から一部が露出され、対向して設けられた搬送ローラ８５のローラ部８５Ｂとのニップ部で、記録用紙Ｐを挟み込んで搬送するようになっている。これにより、搬送プレート７８、８０（コート層８２）に付着した水滴は、開口部９１の縁に沿って流れ落ちる。したがって、搬送ローラ８５に水滴が付着することがない。
【００５６】
一方、図２に示すように、搬送プレート７６には、発振器８４に接続された振動子８６が設けられており、発振器８４から振動波形が発振されると、振動子８６が振動して、搬送路７７、７９、８１、８３が振動するようになっている。振動子としては、ピエゾ式の振動子や小型振動モータなどを適宜用いることが出来る。
【００５７】
発振器８４は、制御部８８に接続されている。制御部８８には、定着モジュール６０周辺の湿度を検出する湿度検出センサ９０が接続されており、湿度検出センサ９０によって湿度が所定値（搬送プレートの搬送路７７、７９、８１、８３に面した側に結露が発生する湿度）以上となったのを検出すると、制御部８８からの信号により、発振器８４から振動波形が発振され、振動子８６の振動によって搬送プレート７６が振動する。これにより、搬送プレート７６に付着した水滴が脱落する。このとき、搬送路７７は、記録用紙Ｐの搬送方向下流側に向かって上側に傾斜しているため、搬送プレート７６から脱落した水滴は、搬送路７７の上流側から搬送路７９に移動し、流れ込む。
【００５８】
また、振動子８６の振動によって、搬送プレート７６近傍の搬送プレート７５、７８、８０も振動し、搬送プレートの搬送路７９、８１、８３に面した側に付着した水滴が脱落して後述する搬送路９５に移動し、流れ込む。
【００５９】
一方、反転搬送機構７２（図１参照）と反転搬送路７４は、搬送路９５で連結されており、搬送路９５を形成する搬送プレート９７には、開口部９４が形成されている。開口部９４の下方には、回収部である回収パレット９２が設置されており、搬送プレートの搬送路７７、７９、８１、８３に面した側から脱落した水滴は、開口部９４を介して回収パレット９２に回収されるようになっている。
【００６０】
回収パレット９２は、結露回収タンク９６と連結路９８によって連結されている。結露回収タンク９６には、図示は省略するが吸引ポンプが設けられており、所定のタイミングで吸引ポンプを駆動させて、回収パレット９２で回収された水滴（水分）を、結露回収タンク９６に回収するようになっている。回収パレットは本実施例の構成に限らず、スポンジ等の水分吸収体を設けても良いし、或いはポンプ等を設けることなく、一定時間経過毎に溜まった水分を捨てるよう、装置の操作部に支持が表示されるようにしてもよい。
(その他の実施の形態)
【００６１】
その他の実施形態として、前記制御部８８に対して記録用紙Ｐに位置情報を入力し、記録用紙Ｐが搬送プレート７６に対向した位置に存在しない場合にのみ発信器８４に対して発信の信号を送出するように構成したものがある。
以上、本発明の実施例について記述したが、本発明は上記の実施例に限定されるものではない。
【００６２】
例えば、本実施例では電子写真方式のカラー画像形成装置について記述したが、白黒の画像形成装置に用いることも可能であるばかりでなく、インクジェット方式の画像形成装置におけるインク乾燥用加熱装置においてもまた、本発明を適用することが可能である。
【００６３】
その他、画像形成装置以外にも、熱処理することで水蒸気が発生する記録媒体を搬送する熱処理搬送装置であれば、適用可能である。
【図面の簡単な説明】
【００６４】
【図１】本発明の実施形態に係る画像形成装置を示す概略構成図である。
【図２】本発明の実施形態に係る画像形成装置に搭載された定着モジュールと、定着モジュールの下流側の搬送路を示す模式図である。
【図３】本発明の実施形態に係る画像形成装置に設けられた搬送路を示す部分斜視図である。
【符号の説明】
【００６５】
１０  画像形成装置（熱処理搬送装置）
６０  定着モジュール（熱処理部、定着部）
６８  排紙機構（排出部）
７６  搬送プレート（搬送路構成部材）
７７  搬送路
７９  搬送路
８１  搬送路
８６  振動子（振動発生手段）
８８  制御部（制御手段）
９０  湿度検出センサ（湿度検出手段）
９２  回収パレット（回収部）
【図１】
2008158218.tif 000004
【図２】
2008158218.tif 000005
【図３】
2008158218.tif 000006